(57)【要約】【課題】回路構成を比較的小さくする。【解決手段】本音声再生システムは、デジタルオーディオ信号と、アナログオーディオ信号のいずれについても増幅して再生する。デジタルオーディオ信号は、ΔΣ変調器１０でデルタシグマ変調した後、第１ＰＷＭ変換器１２でパルス幅変調してセレクタ１４に供給する。アナログオーディオ信号は、第２ＰＷＭ変調器１６とＰＷＭキャリア信号とを比較し、ＰＷＭ信号に変換し、セレクタ１４に供給する。そして、セレクタ１４で選択した信号をＤ級アンプ１８で増幅する。【選択図】図１
2009225391.tif 000002
【特許請求の範囲】
【請求項１】
デジタルオーディオ信号と、アナログオーディオ信号のいずれについても増幅して再生する音声再生システムであって、
デジタルオーディオ信号をデルタシグマ変調するデルタシグマ変調器と、
このデルタシグマ変調器の出力をパルス幅変調してＰＷＭ信号に変換する第１ＰＷＭ変換器と、
アナログオーディオ信号とＰＷＭキャリア信号とを比較し、ＰＷＭ信号に変換する第２ＰＷＭ変換器と、
前記第１および第２ＰＷＭ変換器の出力のうちいずれかを選択して出力するセレクタと、
セレクタの出力を受け入れ増幅するＤ級アンプと、
を含むことを特徴とする音声再生システム。
【発明の詳細な説明】
【技術分野】
【０００１】
デジタルオーディオ信号と、アナログオーディオ信号のいずれについても増幅して再生する音声再生システムに関する。
【背景技術】
【０００２】
従来より、オーディオ信号の再生には、ＣＤ、ＤＶＤなどデジタル信号の再生と、ＡＭ、ＦＭラジオなどのアナログ信号の再生の２つがある。従って、オーディオ再生システムでは、このデジタル・アナログ両方の入力について、再生可能とする必要もある。このようなシステムでは、デジタルオーディオ信号については、特に携帯機器では、デルタシグマ（ΔΣ）変調の後、Ｄ級アンプでＰＷＭ信号を増幅する場合が多い。これは、Ｄ級アンプは、電力効率がよく、電池寿命が問題となる携帯機器ではそのオーディオ再生システムの消費電力をなるべく小さくしたいという要求があるからである。そこで、ＣＤやＤＶＤの再生によって得られたデジタルオーディオ信号は、ΔΣ変調器によってΔΣ変調した後、ＰＷＭ変換してＤ級アンプで増幅する。一方、アナログオーディオ信号については、ＡＢ級アンプで増幅している。
【０００３】
また、特許文献１には、アナログオーディオ信号をＡＤＣ回路によって、デジタル信号に変換し、このデジタル信号をデジタルオーディオ信号についてのＰＷＭ変換を行うＰＷＭ変換器を介しＤ級アンプに供給する構成が示されている。この構成によれば、ＡＢ級アンプを省略することができる。
【０００４】
【特許文献１】特開２００６−３３３４３７号公報
【発明の開示】
【発明が解決しようとする課題】
【０００５】
しかし、特許文献１の回路では、１つのＰＷＭ変換器をアナログオーディオ信号からＡＤ変換して得られたデジタル信号と、デジタルオーディオ信号をＰＷＭ変換器に供給する。デジタルオーディオ信号は、通常ＰＣＭ変換されたデジタル信号であり、従って同様のデジタル信号を得るには、アナログオーディオ信号について、ΔΣ変調した後、これをデジタルフィルタにより処理することが必要となる。そこで、ＡＤＣ回路において、ΔΣ変調器と、デジタルフィルタの組を必要とし、このための回路構成が比較的大きくなってしまうという問題がある。
【課題を解決するための手段】
【０００６】
本発明は、デジタルオーディオ信号と、アナログオーディオ信号のいずれについても増幅して再生する音声再生システムであって、デジタルオーディオ信号をデルタシグマ変調するデルタシグマ変調器と、このデルタシグマ変調器の出力をパルス幅変調してＰＷＭ信号に変換する第１ＰＷＭ変換器と、アナログオーディオ信号とＰＷＭキャリア信号とを比較し、ＰＷＭ信号に変換する第２ＰＷＭ変換器と、前記第１および第２ＰＷＭ変換器の出力のうちいずれかを選択して出力するセレクタと、セレクタの出力を受け入れ増幅するＤ級アンプと、を含むことを特徴とする。
【発明の効果】
【０００７】
本発明によれば、第２ＰＷＭ変換器においてアナログオーディオ信号と、ＰＷＭキャリア信号との比較で、直接ＰＷＭ信号に変換する。従って、アナログオーディオ信号の処理において、ΔΣ変調器やデジタルフィルタが不要であり、システム全体をコンパクトに形成できる。
【発明を実施するための最良の形態】
【０００８】
以下、本発明の実施形態について、図面に基づいて説明する。
【０００９】
図１は、実施形態の構成を示すブロック図である。本実施形態の再生装置は、ＣＤ、ＤＶＤなどの再生によって得られるデジタルオーディオ信号と、ＦＭラジオなどの再生によって得られるアナログオーディオ信号の両方の増幅が行える。再生は、同時には行われず、１つが選択され、デジタルオーディオ信号またはアナログオーディオ信号のいずれかが入力されてくる。
【００１０】
例えば、ＣＤの再生によって得られる、４４．１ｋＨｚ、１６ビットのデジタルオーディオ信号は、デルタシグマ（ΔΣ）変調器１０に入力される。ΔΣ変調器１０は、入力されてくるデジタルオーディオ信号をデルタシグマ（ΔΣ）変調し、より高周波の所定周波数の１ビットまたはマルチビットの信号に変換する。
【００１１】
そして、この１ビットまたはマルチビットの信号は、第１ＰＷＭ変換器１２において、ＰＷＭ信号に変換される。すなわち、ＰＷＭキャリア信号の周波数で、１ビットまたはマルチビットの信号の値に応じて、デューティーが決定されたＰＷＭ信号が生成される。そして、このＰＷＭ信号が、セレクタ１４に供給される。
【００１２】
また、ラジオチューナなどからのアナログオーディオ信号は、第２ＰＷＭ変換器１６に供給され、ここで三角波などのＰＷＭキャリア信号と直接比較され、ＰＷＭキャリア信号とアナログオーディオ信号のいずれが大きいかという比較結果に応じてデューティー比が決定されたＰＷＭ信号が得られる。そして、このＰＷＭ信号がセレクタ１４に供給される。
【００１３】
ここで、デジタルオーディオ信号、アナログオーディオ信号のいずれが入力されてくるかは、オーディオセット全体を制御するマイコンなどからの選択信号によってわかっている。そこで、その選択信号によって、入力されてくる信号を選択するようセレクタ１４が制御される。
【００１４】
なお、選択信号によって、ΔΣ変調器１０および第１ＰＷＭ変換器１２の組、または第２ＰＷＭ変換器１６のうち、使用しない方については、電源供給を停止することが好ましい。
【００１５】
セレクタ１４によって選択されたＰＷＭ信号はＤ級アンプ１８に供給され、増幅されるとともにアナログ信号に変換されて出力される。そして、このアナログ信号がスピーカ２０に供給され、ここから信号に応じた音が出力され、入力信号が再生される。
【００１６】
このように、本実施形態によれば、１つのＤ級アンプ１８により、デジタルオーディオ信号およびアナログオーディオ信号のいずれの増幅も行える。従って、電流効率が上がり、消費電流も低く抑えることができる。また、本実施形態のような回路は、通常ＩＣ（半導体集積回路）で形成されるが、そのＩＣの面積や部品点数を削減することができる。そして、デジタルオーディオ信号については、通常通りΔΣ変調器１０および第１ＰＷＭ変換器１２の組を用い、ＰＷＭ信号を得るが、アナログオーディオ信号については、これを第２ＰＷＭ変換器１６において直接ＰＷＭ信号に変換する。従って、特許文献１のように、ΔΣ変換器およびデジタルフィルタを含むＡＤ変換器を必要とせず、全体としての回路規模を小さくすることができる。
【図面の簡単な説明】
【００１７】
【図１】実施形態の構成を示すブロック図である。
【符号の説明】
【００１８】
１０  変調器、１２  第１ＰＷＭ変換器、１４  セレクタ、１６  第２ＰＷＭ変換器、１８  Ｄ級アンプ、２０  スピーカ。
【図１】
2009225391.tif 000003